【手続補正書】
【提出日】平成16年10月8日(2004.10.8)
【手続補正１】
【補正対象書類名】明細書
【補正対象項目名】特許請求の範囲
【補正方法】変更
【補正の内容】
【特許請求の範囲】
【請求項１】
光源手段と、該光源手段から出射した光束を反射偏向させる偏向手段と、該偏向手段からの光束を被走査面上に導光し、該被走査面上を走査する走査光学系を具備する光走査装置において、
前記走査光学系は少なくとも１枚の走査光学素子を有し、該少なくとも１枚の走査光学素子のうち少なくとも２つの光学面の副走査方向の曲率半径は光軸から軸外に向い連続的に変化しており、且つ、該少なくとも２つの光学面は副走査方向の曲率半径の変化に１つの極値のみ有することを特徴とする光走査装置。
【請求項２】
前記少なくとも２つの光学面のうち少なくとも１つの光学面は副走査方向の曲率半径の変化が光軸を中心として主走査方向に非対称に変化している請求項１記載の光走査装置。
【請求項３】
前記副走査方向の曲率半径の変化が光軸を中心として主走査方向に非対称に変化している光学面は、前記偏向手段に最も近い走査光学素子に設けられている請求項２記載の光走査装置。
【請求項４】
前記走査光学系の少なくとも１枚の走査光学素子は、光軸に対してシフト又は／及びチルトしている請求項１〜３のいづれか一項記載の光走査装置。
【請求項５】
前記走査光学系は、副走査方向の曲率半径が光軸に対して主走査方向に非対称であり、かつ光軸上より主走査方向に離れるに従い、前記副走査方向の曲率半径の絶対値が小さくなるように変化する光学面を有していることを特徴とする請求項１記載の光走査装置。
【請求項６】
前記光源手段は、複数の発光部を備えたマルチビーム光源であることを特徴とする請求項１乃至５の何れか１項に記載の光走査装置。
【請求項７】
前記走査光学系を構成する各走査光学素子は、肉厚が１０ｍｍ以下であることを特徴とする請求項１乃至６の何れか１項に記載の光走査装置。
【請求項８】
光源手段から出射した光束の状態を他の状態に変換する第１の光学系と、該第１の光学系により変換された光束を前記偏向手段の偏向面上であって主走査方向へ長い線像として結像させる第２の光学系とを有することを特徴とする請求項１乃至７の何れか１項に記載の光走査装置。
【請求項９】
前記少なくとも２つの光学面は、主走査断面内において正の屈折力を有する非円弧形状の光学面である請求項１乃至８の何れか１項に記載の光走査装置。
【請求項１０】
請求項１乃至９の何れか１項に記載の光走査装置と、前記被走査面に配置された感光体と、前記光走査装置で走査された光束によって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項１１】
請求項１乃至９の何れか１項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００１３
【補正方法】変更
【補正の内容】
【００１３】
【課題を解決するための手段】
請求項１の発明の光走査装置は、光源手段と、該光源手段から出射した光束を反射偏向させる偏向手段と、該偏向手段からの光束を被走査面上に導光し、該被走査面上を走査する走査光学系を具備する光走査装置において、前記走査光学系は少なくとも１枚の走査光学素子を有し、該少なくとも１枚の走査光学素子のうち少なくとも２つの光学面の副走査方向の曲率半径は光軸から軸外に向い連続的に変化しており、且つ、該少なくとも２つの光学面は副走査方向の曲率半径の変化に１つの極値のみ有することを特徴としている。
【手続補正３】
【補正対象書類名】明細書
【補正対象項目名】００１４
【補正方法】変更
【補正の内容】
【００１４】
請求項２の発明は、請求項１の発明において、前記少なくとも２つの光学面のうち少なくとも１つの光学面は副走査方向の曲率半径の変化が光軸を中心として主走査方向に非対称に変化していることを特徴としている。
【手続補正４】
【補正対象書類名】明細書
【補正対象項目名】００１５
【補正方法】変更
【補正の内容】
【００１５】
請求項３の発明は、請求項２の発明において、前記副走査方向の曲率半径の変化が光軸を中心として主走査方向に非対称に変化している光学面は、前記偏向手段に最も近い走査光学素子に設けられていることを特徴としている。
【手続補正５】
【補正対象書類名】明細書
【補正対象項目名】００１６
【補正方法】変更
【補正の内容】
【００１６】
請求項４の発明は、請求項１〜３のいずれか１項の発明において、前記走査光学系の少なくとも１枚の走査光学素子は、光軸に対してシフト又は／及びチルトしていることを特徴としている。
【手続補正６】
【補正対象書類名】明細書
【補正対象項目名】００１７
【補正方法】変更
【補正の内容】
【００１７】
請求項５の発明は、請求項１の発明において、前記走査光学系は、副走査方向の曲率半径が光軸に対して主走査方向に非対称であり、かつ光軸上より主走査方向に離れるに従い、前記副走査方向の曲率半径の絶対値が小さくなるように変化する光学面を有していることを特徴としている。
【手続補正７】
【補正対象書類名】明細書
【補正対象項目名】００１８
【補正方法】変更
【補正の内容】
【００１８】
請求項６の発明は、請求項１乃至５のいずれか１項の発明において、前記光源手段は、複数の発光部を備えたマルチビーム光源であることを特徴としている。
【手続補正８】
【補正対象書類名】明細書
【補正対象項目名】００１９
【補正方法】変更
【補正の内容】
【００１９】
請求項７の発明は、請求項１乃至６のいずれか１項の発明において、前記走査光学系を構成する各走査光学素子は、肉厚が１０ｍｍ以下であることを特徴としている。
【手続補正９】
【補正対象書類名】明細書
【補正対象項目名】００２０
【補正方法】変更
【補正の内容】
【００２０】
請求項８の発明は、請求項１乃至７のいずれか１項の発明において、光源手段から出射した光束の状態を他の状態に変換する第１の光学系と、該第１の光学系により変換された光束を前記偏向手段の偏向面上であって主走査方向へ長い線像として結像させる第２の光学系とを有することを特徴としている。
【手続補正１０】
【補正対象書類名】明細書
【補正対象項目名】００２１
【補正方法】変更
【補正の内容】
【００２１】
請求項９の発明は、請求項１乃至８のいずれか１項の発明において、前記少なくとも２つの光学面は、主走査断面内において正の屈折力を有する非円弧形状の光学面であることを特徴としている。
【手続補正１１】
【補正対象書類名】明細書
【補正対象項目名】００２２
【補正方法】変更
【補正の内容】
【００２２】
請求項１０の発明の画像形成装置は、請求項１乃至９の何れか１項に記載の光走査装置と、前記被走査面に配置された感光体と、前記光走査装置で走査された光束によって前記感光体上に形成された静電潜像をトナー像として現像する現像器と、現像されたトナー像を被転写材に転写する転写器と、転写されたトナー像を被転写材に定着させる定着器とを有することを特徴としている。
【手続補正１２】
【補正対象書類名】明細書
【補正対象項目名】００２３
【補正方法】変更
【補正の内容】
【００２３】
請求項１１の発明の画像形成装置は、請求項１乃至９の何れか１項に記載の光走査装置と、外部機器から入力したコードデータを画像信号に変換して前記光走査装置に入力せしめるプリンタコントローラとを有していることを特徴としている。
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】
【手続補正１６】
【補正対象書類名】明細書
【補正対象項目名】００２７
【補正方法】削除
【補正の内容】
【手続補正１７】
【補正対象書類名】明細書
【補正対象項目名】００２８
【補正方法】削除
【補正の内容】
【手続補正１８】
【補正対象書類名】明細書
【補正対象項目名】００２９
【補正方法】削除
【補正の内容】
【手続補正１９】
【補正対象書類名】明細書
【補正対象項目名】００３０
【補正方法】削除
【補正の内容】
【手続補正２０】
【補正対象書類名】明細書
【補正対象項目名】００３１
【補正方法】削除
【補正の内容】
【手続補正２１】
【補正対象書類名】明細書
【補正対象項目名】００３２
【補正方法】削除
【補正の内容】
【手続補正２２】
【補正対象書類名】明細書
【補正対象項目名】００３３
【補正方法】削除
【補正の内容】
【手続補正２３】
【補正対象書類名】明細書
【補正対象項目名】００３４
【補正方法】削除
【補正の内容】
【手続補正２４】
【補正対象書類名】明細書
【補正対象項目名】００３５
【補正方法】削除
【補正の内容】
【手続補正２５】
【補正対象書類名】明細書
【補正対象項目名】００３６
【補正方法】削除
【補正の内容】
【手続補正２６】
【補正対象書類名】明細書
【補正対象項目名】００３７
【補正方法】削除
【補正の内容】
【手続補正２７】
【補正対象書類名】明細書
【補正対象項目名】００３８
【補正方法】削除
【補正の内容】